(57)【要約】【課題】  フィルム式光学ローパスフィルタの温湿度による変化でも歪みのない状態で常時保持をする。【解決手段】  フィルム式光学ローパスフィルタの一端を回転可能な回転軸に固定し、温度、湿度、トルク、回転角度を検出し、検出結果を演算して最適張力が付与するように回転軸をモーターにより駆動制御するＬＰＦ保持機構。【選択図】  図３
2006173832.tif 000002
【特許請求の範囲】
【請求項１】
半導体撮像素子により被写体を撮像する電子カメラで、
前記被写体と前記撮影素子と光軸上に略垂直に配置される有機材を使った光学ローパスフィルタ（以降、LPF）において、
前記ＬＰＦの一端は回転可能な回転軸に固定され、
前記回転軸を駆動させる駆動手段と、動作時の温度を測定する温度検出手段と、
動作時の空気中の湿度を測定する湿度検出手段と、
前記検出結果を記録する記憶手段と、
前記温度検出手段と前記湿度検出手段の検出結果と、
前記記憶手段に保存されている過去の検出結果とを比較して駆動制御をするシステム制御手段とを有し、
前記ＬＰＦを駆動させ最適張力を保持するＬＰＦ保持機構を有することを特徴とする電子カメラ。
【請求項２】
前記光学ローパスフィルタはアパチャサイズより大きいことを特徴とする。
【請求項３】
半導体撮像素子により被写体を撮像する電子カメラで、
前記被写体と前記撮影素子と光軸上に略垂直に配置される有機材を使った光学ローパスフィルタ（以降、LPF）において、
前記ＬＰＦの一端は回転可能な回転軸に固定され、
前記回転軸を駆動させる駆動手段と、
前記回転軸の回転角を検出する角度検出手段と、
前記回転軸の軸に掛かるトルク力を検出するトルク検出手段と、
前記検出結果を記録する記憶手段と、
前記角度検出手段と前記トルク検出手段の検出結果と、
前記記録手段に保存されている過去の検出結果とを比較して駆動制御をするシステム制御手段とを有し、
前記ＬＰＦを駆動させ最適張力を保持するＬＰＦ保持機構を有することを特徴とする電子カメラ。
【請求項４】
半導体撮像素子により被写体を撮像する電子カメラで、
前記被写体と前記撮影素子と光軸上に略垂直に配置される有機材を使った光学ローパスフィルタ（以降、LPF）において、
前記ＬＰＦの一端は回転可能な回転軸に固定され、
前記回転軸を駆動させる駆動手段と、
前記回転軸の回転角を検出する角度検出手段と、
前記回転軸の軸に掛かるトルク力を検出するトルク検出手段と動作時の温度を測定する温度検出手段と、動作時の空気中の湿度を測定する湿度検出手段と、
前記検出結果を記録する記憶手段と、
前記角度検出手段、前記トルク検出手段、前記温度検出手段、前記湿度検出手段の検出結果と、
前記記憶手段に保存されている過去の検出結果とを比較して駆動制御をするシステム制御手段とを有し、
前記ＬＰＦを駆動させ最適張力を保持するＬＰＦ保持機構を有することを特徴とする電子カメラ。
【発明の詳細な説明】
【技術分野】
【０００１】
本発明は、例えばＣＣＤやＣＭＯＳ等よりなる撮像素子などに用いられる光学的ローパスフィルタで、中でもフィルム状の光学ＬＰＦに関し、それをデジタルカメラ等の機器内に実装する場合の保持機構に関するものである。
【背景技術】
【０００２】
ＣＣＤやＣＭＯＳ等よりなる撮像素子を使用した撮像光学系においては、被写体光の高空間周波数成分を制限し、擬似信号の発生に伴う被写体による光とは異なる色成分を除去するために、ＬＰＦが用いられている。このＬＰＦとして、従来一般的には、水晶板などによる複屈折タイプのものが広く使われている。
【０００３】
この水晶板は屈折率の異方性がさほど大きくなく、制限すべき所定の空間周波数を得るためには、水晶板の厚さが通常１ｍｍ程度必要となる。それを複数枚貼り合わせて使用するために、トータルの厚みが厚くなり、その結果、機器の小型化や軽量化を阻害するばかりでなく、収差やゴーストなど光学的性能の低下の要因ともなる。
【０００４】
また、ニオブ酸リチウムなど屈折率の異方性が大きい材料が知られている。この材料の場合は屈折率の異方性が大きいため、制限すべき所定の空間周波数を得るための厚みは水晶に比べて極めて薄くできるが、反面、厚み加工上あるいは貼り合わせ加工上の技術的困難さがあり、その結果、コストが高くなる。
【０００５】
一方、高分子製光学ＬＰＦに関する提案が特開平08−122708でされている。これは、光学異方性高分子フィルムよりなるもので、製造が容易であり、特定の光学的特性を有するものであることにより、ＬＰＦとして優れた機能を有し、小型化、軽量化が図れると共に、コスト的にも有利と言えるものである。
【０００６】
この光学異方性高分子フィルムを使えば、水晶やニオブ酸リチウムを使う場合のデメリットを回避することが可能となるが、一方では、一枚の厚みが極めて薄いフィルム状のため、これを複数枚貼り合せてもかなりの可撓性を有しており、デジタルカメラ等の機器内に実装する場合は、その平面性の維持に留意しなければならない。また、平面性の維持は温度・湿度の変化にも対応する必要がある。
【０００７】
平面性維持の方法として、ガラス等の硬い基材に貼り付ける方法が従来より知られているが、この場合は、材質の相違による膨張率差により、貼付けが剥がれるなどの不具合を生じる虞があった。
【特許文献１】特開平08−122708号公報
【発明の開示】
【発明が解決しようとする課題】
【０００８】
本発明は、以上のような状況に鑑みなされたもので、光学異方性高分子フィルム等のフィルム状のＬＰＦを、デジタルカメラ等の機器内に実装する際に、フィルム状のＬＰＦに常に適度な張力を与えることにより、温度・湿度が変化しても、所定の平面性が維持できる保持機構を提供することを目的とするものである。
【課題を解決するための手段】
【０００９】
上記目的を達成するために、本発明では、いかなる環境状況下においても、ＬＰＦの張り状態が変化することの無く常に平面性を維持できるＬＰＦ保持機構を提供する。温度、湿度検出手段の検出結果より、ＬＰＦが巻きついている回転軸を駆動させ適正張力が付与するように制御する第一に実施形態。回転軸の回転角度検出手段、回転軸を保持している軸に掛かるトルク検出手段の検出結果により、ＬＰＦに適正張力が付与するように制御する第二の実施形態。温度、湿度、回転軸の回転角度、回転軸の保持軸に掛かるトルク検出手段の結果より、ＬＰＦに適正張力が付与するように制御する第三の実施形態にて、常時ＬＰＦに張力を持たせ平面性を維持させることを目的とした。
【発明の効果】
【００１０】
以上、説明したように、本発明の撮像装置は、温度・湿度の変化によって、フィルム状ローパスフィルタが膨張しても最適な張力を与えることができるので、フィルム状ローパスフィルタを撓み無く保持することができる。
【００１１】
また、温度・湿度の変化によってフィルム状ローパスフィルタが縮小しても最適の張力を与えることができるので、張力の加えすぎによるフィルム状ローパスフィルタの破損を防ぐこともできる。
【００１２】
さらに、温度・湿度に応じて最適な張力を与えることが可能となり、良好なローパス効果を常に得ることができる。
【発明を実施するための最良の形態】
【００１３】
本発明の実施形態について以下に説明をする。
【００１４】
図1のカメラ１に対して着脱可能な交換レンズ２は複数枚の撮影レンズ群３及び、絞り径を変化させることで光量をコントロールする絞り４からなり、カメラ１のマウント５によって装着固定される。不図示のカメラ１の接点部と不図示の交換レンズ２の接点部が接触することによって電気的な接続がなされ、この接点部を介してカメラ１から交換レンズ２への電力の供給やレンズを制御するための通信を行う。交換レンズ２の撮影レンズ群３を透過した光束はカメラ１のメインミラー６に入射する。メインミラー６はハーフミラーとなっており反射した光束はファインダーへと導かれ、透過した光束はサブミラー７にて下方へ反射し、焦点検出装置８へと導かれる。焦点検出装置８は撮影レンズ群３のデフォーカス量を検出し、撮影レンズ群３が合焦状態となるようにレンズ駆動量を演算し、演算より求められたレンズ駆動量を接点部を介して交換レンズ２へ送出すると、交換レンズ２は不図示のモーターを制御して撮影レンズ群３を駆動して焦点調節を行う。メインミラー６によってファインダーへと導かれた光束はピント板９に被写体像を結像し、撮影者はペンタプリズム１０および接眼レンズ１１を介してこのピント板上の被写体像を観察するように構成されている。ペンタプリズム１０の後方には、カメラ１の観察画面内の被写体輝度を測定するための測光レンズ１２と測光センサ１３が配置されている。１４、１５はシャッターを構成する後幕と先幕で、これら後幕１５、先幕１４の開放によって、後方に配置されている固体撮像素子であるＣＣＤ（固体撮像素子）１６に必要な露光を与える。撮影時に固体撮像素子１６に蓄積された画像データは、別に設けられた不図示の画像処理回路を通して後述する外部記憶装置に送られる。１７はフィルム状光学ＬＰＦ（以下、ＬＰＦ）であり、図２に示すように、被写体像を水平分離する複屈折フィルム１７ａと、被写体像を垂直分離する複屈折フィルム１７ｂと、その間に複屈折フィルム１７ａを通った直線偏光を円偏光に変換する位相フィルム１７ｃを挟み込むように接合されている。１８はＬＰＦを巻き取る回転軸に結合されている回転ギヤで、回転軸は撮影光軸と略直交する方向に配置されている。１９は回転軸受け部材に取り付けられている角度計、２０も回転軸受け部材に取り付けられているトルク計である。
【００１５】
２１は回転ギヤ１８の近傍に略平行に配置された金属体からなるガイドローラーである。回転ギヤ１８の下方にはモーター２２が回転ギヤ１８と略平行に配置されている。２３はＬＰＦ１７の回転軸に固定されていないもう一方を固定しているＬＰＦ保持部材である。２４は固体撮像素子１６の表面を保護する保護ガラスであり、２５は保護ガラス２４の表面に接合された、赤外波長域の光線を遮断する赤外カットフィルタである。２６は基板（Ａ）で、固体撮像素子１６が保持されており、固体撮像素子１６を駆動するための駆動回路が実装されている。この基板（Ａ）２６の後方にもう１枚の基板（Ｂ）２７が配置してあり、これにはＬＣＤモニター装置２８を駆動させるための駆動回路が実装されている。この基板（Ａ）２６及び基板（Ｂ）２７は不図示のフレキシブルプリント基板で接続されて通信を行っている。基板（Ｂ）２７の外側の面には撮影された画像を表示するＬＣＤモニター装置２８及び画像を視認させるためのバックライト照明装置２９が配置してある。３０は画像データを記録するための、着脱可能な外部記憶装置（記録手段）で、３１はカメラの電源である着脱可能なバッテリーである。
【００１６】
図３において、ＬＰＦ１７の一端が回転軸３２に固定されている。
【００１７】
回転軸３２と同軸上には回転ギヤ１８があり、回転軸３２と回転ギヤ１８は結合されていて、共に回転可能な構成になっている。回転ギヤ側には回転軸を受けるための軸受け部３３があり、ガイドローラー２１の軸受けも兼ねている。軸受け部３３には回転軸３２と同軸上に配置された角度計１９があり、角度計１９の近傍にはトルク計２０が配置され回転軸３２の回転に連動してそれぞれ検知を行なう。
【００１８】
回転軸３２の下方にはモーター２２が配置されており、回転ギヤ１８の歯車とモーター３０の歯車が噛み合って動力を伝達するように構成されている。ＬＰＦ１７の他方の端部はＬＰＦ保持部材２３にて固定されている。なお、ＬＰＦ１７がモーター２２の駆動力により保持部材２３から外れないようにＬＰＦ抜け防止処置として抜け防止部材３４を設けてある。図３中のＬＰＦ１７は時計方向に常時付勢されている。
【００１９】
図４は、本発明の実施の形態であるデジタルカメラの電気回路構成を示すブロック図である。同図において、１０１はプリント基板で、カメラの動作の全てを制御するマイクロコンピューター１０２、 固体撮像素子１１８の出力である画像データ処理および、ＬＣＤモニター装置１２１に画像を表示する画像表示制御回路（画像表示手段）１１９等が搭載されている。マイクロコンピューター１０２の内部には、回転軸駆動手段の構成の一部である制御プログラムが実装されている。１０３はＳＷ１で、不図示のレリーズ釦の半押し状態でオン（ＯＮ）するスイッチであり、このＳＷ１/１０３がオン（ＯＮ）するとデジタルカメラは撮影準備状態になる。１０４はＳＷ２で、不図示のレリーズ釦が最後まで押された状態でオン（ＯＮ）するスイッチであり、このＳＷ２/１０４がオン（ＯＮ）するとデジタルカメラは撮影動作を開始する。１０５はレンズ制御回路で、本実施の形態は、レンズ交換式のデジタルカメラであるので、交換レンズ２（図１参照）との通信及びＡＦ（オートフォーカス）時の交換レンズ２の駆動や絞り羽根の駆動の制御をこのレンズ制御回路１０５が受け持っている。１０６は測距回路で、ＡＦ（オートフォーカス）のための被写体に対するディフォーカス量を検出する機能を有する。１０７は測光回路で、被写体の輝度を測定する機能を有する。１０８はシャッターの制御を行う回路で、固体撮像素子１１８に対して適正な露光を行う。１１７はデータを保存するためのＲＯＭで測距、測光、温度、湿度、トルク、角度などの検出データが保存される。ＬＣＤモニター装置１２１とバックライト照明装置１２２は画像表示手段を構成している。１２０は記録手段であるところの外部記憶装置である。
【００２０】
１１１は本発明の第一の実施形態に係るところの温度/湿度変化検知手段の構成の一部である温度/湿度変化検知回路である。１０９の温度検出回路で温度計（図示省略）からの温度データを検出する。１１０の湿度検出回路で湿度計（図示省略）からの湿度データを検出する。検出されたデータと常温、常湿時の基準データに基づき回転軸駆動制御回路１１６を介してモーター１１５を所定量駆動させる。
【００２１】
１１４は本発明の第二の実施形態に係るところのトルク/角度変化検知手段の構成の一部であるトルク/角度変化検知回路である。１１２のトルク検出回路で回転軸に設置されているトルク計により回転軸に付与されている負荷をトルクに換算してトルクを算出する。
【００２２】
１１３は角度検出回路で、回転軸と同軸に設置されている角度計から回転軸角度を算出する。
【００２３】
検出して得られたトルクデータと軸角度データに基づき回転軸駆動制御回路１１６を介してモーター１１５を所定量駆動させる。
【００２４】
また、本発明の第三の実施形態の構成に付いて述べる。
【００２５】
１０９の温度検出回路で温度計（図示省略）からの温度データを検出する。１１０の湿度検出回路で湿度計（図示省略）からの湿度データを検出する。温度/湿度変化検知回路にて検出されたデータと常温、常湿時の基準データに基づき回転軸を駆動させる駆動量を算出する。以上より温湿度に関する駆動量が決定する。次に１１２のトルク検出回路と１１３の角度検出回路にて、回転軸に設置されているトルク計により回転軸に付与されている負荷をトルクに換算してトルクを算出する。また、回転軸と同軸に設置されている角度計から回転軸角度を算出する。検出して得られたトルクデータと軸角度データに基づき回転軸を駆動させる駆動量を算出する。先に決定している温湿度による駆動量と、トルク、軸角度による駆動量に基づき回転軸駆動制御回路１１６にて最終駆動量を算出し、モーター１１５を所定量駆動させる。
【００２６】
図５、図６は、回転ギヤをＬＰＦ側から見た拡大図である。
【００２７】
回転軸駆動制御回路１１６で回転軸３２が駆動した後の回転ギヤ１８が変動しないように固定する機構について説明をする。
【００２８】
図５において、１７はＬＰＦ、１８は回転ギヤ、２１はガイドローラー、２２はモーター、３２は回転軸、３５はラチェット、３６は係止棒である。
【００２９】
回転ギヤ１８にはラチェット３５が同軸に取り付けられており、係止棒３６と噛み合うことで、ＬＰＦ１７の張力によって回転ギヤ１８が回転してしまうのを防ぐ役割を果たす。
【００３０】
係止棒３６は図示しない退避機構によって駆動されることで、ラチェット３５と接する位置から退避する。係止棒が退避した後に回転ギヤ１８は回転を始める。本図は、係止棒３６がラチェット３５とから退避した状態を示す。
【００３１】
図６は回転ギヤ１８が回転軸駆動制御回路１１６により決定した所定の駆動量をモーター２２で駆動させ係止棒３６でラチェット３５を保持している図である。ラチェット３５の歯と係止棒３６が噛み合い、所望の回転角を維持すると共にＬＰＦ１７に一定に張力を付与することで平面性を安定して維持することができる。
【００３２】
図７は第一の実施形態におけるＬＰＦ１７の張力調節機構の動作を示すフローチャートである。
【００３３】
ステップＳ４０１では、温度計による検出データを温度検出回路１０９にて抽出し、湿度計による検出データを湿度検知回路１１０にて抽出し温度、湿度の各抽出データを温度/湿度変化検知回路１１１へ取り込みステップＳ４０２に進む。
【００３４】
ステップＳ４０２において、温度/湿度変化検知回路１１１は、ステップＳ４０１で取得した温度データ・湿度データと、過去にＲＯＭ１１７に保存された温度データ・湿度データを比較し、温度、湿度が変化しているか否かを判定する。
【００３５】
温度、湿度が変化していると判定したときはステップS４０３に進み、温度、湿度が変化していないと判定したときはステップS４０８に進む。
【００３６】
ステップS４０３では、マイクロコンピューター１０２が、ステップＳ４０２において、温度/湿度変化検知回路１１１が、ステップＳ４０１で取得した温度データ・湿度データを基にＬＰＦ１７の最適な張力を演算する。そして、この演算された演算結果で回転軸３２の回転角を変更する必要があるか否かを判定する。
【００３７】
変更する必要があると判定したときははステップＳ４０４に進み、変更する必要が無いと判定したときはステップＳ４０８に進む。
【００３８】
回転角変更と判定されると、演算結果を基に角度計１９は回転角の回転量を決定する。
【００３９】
角度計１９は常温、常湿の環境下でＬＰＦ１７の平面特性が維持できる最適張力となるように調整されている。そのため、温度だけが変化しても、湿度だけが変化しただけで最適張力を演算し、回転軸３２を駆動させることは言うまでも無い。また、温度と湿度では回転軸３２を駆動させるための変化量は異なる。
【００４０】
ステップＳ４０４では、係止棒３６を回転ギヤの側壁配置されたラチェット３５から退避させ、回転ギヤ１８を回転可能な状態にする。
【００４１】
ステップＳ４０５では、ステップ４０３で演算された回転角の回転量になるまで回転ギヤ１８を回転させ、ステップＳ４０６に進む。
【００４２】
ステップＳ４０６では、係止棒３６を図６に示すラチェット３５と接する位置に移動させ、ラチェット３５の歯と係止棒３６が噛み合うことで、回転ギヤ１８がＬＰＦ１７の張力によって回転してしまうのを防ぐ。
【００４３】
ステップＳ４０７では、ＲＯＭ１１７に保存されている温度、湿度データに、ステップＳ４０１で得られた温度、および湿度データを上書き保存し、ステップＳ４０８に進む。
【００４４】
ステップＳ４０８では、マイクロコンピューター１０２内に含まれるタイマーの作動を開始し、ステップS４０９に進む。
【００４５】
ステップS４０９では、タイマーが所定時間経過しているかどうかを判別し、所定時間経過していると判別されたときはステップS４１０に進み、所定時間経過していないと判別されたときはステップS４０９に戻る。
【００４６】
ステップS４１０では、マイクロコンピューター１０２内に含まれるタイマーをリセットし、ステップS４０１に戻る。
【００４７】
図８は第二の実施形態におけるＬＰＦ１７の張力調節機構の動作を示すフローチャートである。
【００４８】
ステップＳ５０１では、トルク計による検出データをトルク検出回路１１２にて抽出し、角度計による検出データを角度検知回路１１３にて抽出しトルク、角度の各抽出データをトルク/角度変化検知回路１１４へ取り込みステップＳ５０２に進む。
【００４９】
ステップＳ５０２において、トルク/角度変化検知回路１１４は、ステップＳ５０１で取得したトルクデータ・角度データと、過去にＲＯＭ１１７に保存されたトルクデータ・角度を比較し、トルク、角度が変化しているか否かを判定する。
【００５０】
トルク、角度が変化していると判定したときはステップS５０３に進み、トルク、角度が変化していないと判定したときはステップS５０８に進む。
【００５１】
ステップS５０３では、マイクロコンピューター１０２が、ステップＳ５０２において、トルク/角度変化検知回路１１４が、ステップＳ５０１で取得したトルクデータ・角度データからＬＰＦ１７の最適な張力を演算する。そして、この演算された演算結果と、現状の回転軸３２の状態を角度計１９と、トルク計２０より演算し比較する。その結果より回転軸３２の回転角を変更する必要があるか否かを判定する。
【００５２】
変更する必要があると判定したときははステップＳ５０４に進み、変更する必要が無いと判定したときはステップＳ５０８に進む。
【００５３】
ステップＳ５０４では、係止棒３６を回転ギヤの側壁配置されたラチェット３５から退避させ、回転ギヤ１８を回転可能な状態にする。
【００５４】
ステップＳ５０５では、ステップ５０３で演算された回転角、あるいは、張力になるまで回転ギヤ１８を回転させ、ステップＳ５０６に進む。
【００５５】
ステップＳ５０６では、係止棒３６を図６に示すラチェット３５と接する位置に移動させ、ラチェット３５の歯と係止棒３６が噛み合うことで、回転ギヤ１８がＬＰＦ１７の張力によって回転してしまうのを防ぐ。
【００５６】
ステップＳ５０７では、ＲＯＭ１１７に保存されているトルクデータ、角度データに、ステップＳ５０１で得られたトルク、および角度データを上書き保存し、ステップＳ５０８に進む。
【００５７】
ステップＳ５０８では、マイクロコンピューター１０２内に含まれるタイマーの作動を開始し、ステップS５０９に進む。
【００５８】
ステップS５０９では、タイマーが所定時間経過しているかどうかを判別し、所定時間経過していると判別されたときはステップS５１０に進み、所定時間経過していないと判別されたときはステップS５０９に戻る。
【００５９】
ステップS５１０では、マイクロコンピューター１０２内に含まれるタイマーをリセットし、ステップS５０１に戻る。
【００６０】
図９は第三の実施形態におけるＬＰＦ１７の張力調節機構の動作を示すフローチャートである。
【００６１】
ステップＳ６０１では、温度計による検出データを温度検出回路１０９にて抽出し、湿度計による検出データを湿度検知回路１１０にて抽出し温度、湿度の各抽出データを温度/湿度変化検知回路１１１へ取り込みステップＳ６０２に進む。
【００６２】
ステップＳ６０２において、温度/湿度変化検知回路１１１は、ステップＳ６０１で取得した温度データ・湿度データと、過去にＲＯＭ１１７に保存された温度データ・湿度データを比較し、温度、湿度が変化しているか否かを判定する。
【００６３】
温度、湿度が変化していると判定したときはステップS６０３に進み、温度、湿度が変化していないと判定したときはステップS６０９に進む。
【００６４】
ステップS６０３では、マイクロコンピューター１０２が、ステップＳ６０２において、温度/湿度変化検知回路１１１が、ステップＳ６０１で取得した温度データ・湿度データを基にＬＰＦ１７の最適な張力を演算する。そして、この演算された演算結果で回転軸３２の回転角を変更する必要があるか否かを判定する。
【００６５】
変更する必要があると判定したときははステップＳ６０４に進み、変更する必要が無いと判定したときはステップＳ６０９に進む。
【００６６】
ステップＳ６１２では、トルク計による検出データをトルク検出回路１１２にて抽出し、角度計による検出データを角度検知回路１１３にて抽出しトルク、角度の各抽出データをトルク/角度変化検知回路１１４へ取り込みステップＳ６１３に進む。
【００６７】
ステップＳ６１３において、トルク/角度変化検知回路１１４は、ステップＳ６１２で取得したトルクデータ・角度データと、過去にＲＯＭ１１７に保存されたトルクデータ・角度を比較し、トルク、角度が変化しているか否かを判定する。
【００６８】
トルク、角度が変化していると判定したときはステップS６１４に進み、トルク、角度が変化していないと判定したときはステップS６０９に進む。
【００６９】
ステップS６１４では、マイクロコンピューター１０２が、ステップＳ６１３において、トルク/角度変化検知回路１１４が、ステップＳ６１２で取得したトルクデータ・角度データからＬＰＦ１７の最適な張力を演算する。そして、この演算された演算結果と、現状の回転軸３２の状態を角度計１９と、トルク計２０より演算し比較する。その結果より回転軸３２の回転角を変更する必要があるか否かを判定する。
【００７０】
変更する必要があると判定したときははステップＳ６０４に進み、変更する必要が無いと判定したときはステップＳ６０９に進む。
【００７１】
ステップS６０４では、温度、湿度データから得られる演算結果とトルク、角度から得られる演算結果とから相対的に再演算する。これは、温度と湿度の環境条件と、トルクと回転角度の物理的条件では駆動量を決定するにあたりそれぞれが占める演算に掛かる割合のウェートが異なるからである。以上を加味して再演算を行いＬＰＦ１７に最適張力が付与される駆動量を得ることを重要視しているためである。この最終結果を基に回転軸３２の回転角を変更する必要があるか否かを判定する。
【００７２】
変更する必要があると判定したときははステップＳ６０５に進み、変更する必要が無いと判定したときはステップＳ６０９に進む。
【００７３】
ステップＳ６０５では、係止棒３６を回転ギヤの側壁配置されたラチェット３５から退避させ、回転ギヤ１８を回転可能な状態にする。
【００７４】
ステップＳ６０６では、ステップ６０３で演算された回転角、あるいは、張力になるまで回転ギヤ１８を回転させ、ステップＳ６０７に進む。
【００７５】
ステップＳ６０７では、係止棒３６を図６に示すラチェット３５と接する位置に移動させ、ラチェット３５の歯と係止棒３６が噛み合うことで、回転ギヤ１８がＬＰＦ１７の張力によって回転してしまうのを防ぐ。
【００７６】
ステップＳ６０８では、ＲＯＭ１１７に保存されている温湿度データに、ステップＳ６０１で得られた温度、および湿度データを上書き保存し、ステップＳ６０９に進む。
【００７７】
ステップＳ６０９では、マイクロコンピューター１０２内に含まれるタイマーの作動を開始し、ステップS６１０に進む。
【００７８】
ステップS６１０では、タイマーが所定時間経過しているかどうかを判別し、所定時間経過していると判別されたときはステップS６１１に進み、所定時間経過していないと判別されたときはステップS６１０に戻る。
【００７９】
ステップS６１１では、マイクロコンピューター１０２内に含まれるタイマーをリセットし、ステップS６０１に戻る。
【図面の簡単な説明】
【００８０】
【図１】本発明の実施形態に係る撮像装置の構成を示す概略図である。
【図２】フィルム状光学的ローパスフィルタの構成図である。
【図３】本発明の実施形態に係る撮像装置のフィルム状光学的ローパスフィルタの張力調整機構を示す図である。
【図４】本発明の実施形態に係る撮像装置の張力調整機構の動作を示すシステムブロック図である。
【図５】本発明の実施形態に係る撮像装置の張力調整機構の動作を示す詳細図ある。
【図６】本発明の実施形態に係る撮像装置の張力調整機構の動作を示す詳細図ある。
【図７】本発明の第一の実施形態に係る撮像装置の張力調整機構の動作を示すフローチャートある。
【図８】本発明の第二の実施形態に係る撮像装置の張力調整機構の動作を示すフローチャートある。
【図９】本発明の第三の実施形態に係る撮像装置の張力調整機構の動作を示すフローチャートある。
【符号の説明】
【００８１】
１  カメラ
２  交換レンズ
１６  固体撮像素子
１７  フィルム状の光学ローパスフィルタ
１８  回転ギヤ
１９  角度計
２０  トルク計
２１  ガイドローラー
２２  モーター
２３  ＬＰＦ保持部材
２４  保護ガラス
２５  赤外カットフィルタ
２６  基板（Ａ）
２７  基板（Ｂ）
２８  ＬＣＤモニター装置
２９  バックライト照明
３０  外部記憶装置
３１  電源
３２  回転軸
３３  軸受け部
３４  ＬＰＦ抜け防止部材
３５  ラチェット
３６  係止棒
１０９  温度検出回路
１１０  湿度検出回路
１１１  温度/湿度変化検知回路
１１２  トルク検出回路
１１３  角度検出回路
１１４  トルク/角度変化検知回路
１１５  モーター
１１６  回転軸駆動制御回路
１１７  ＲＯＭ
【図１】
2006173832.tif 000003
【図２】
2006173832.tif 000004
【図３】
2006173832.tif 000005
【図４】
2006173832.tif 000006
【図５】
2006173832.tif 000007
【図６】
2006173832.tif 000008
【図７】
2006173832.tif 000009
【図８】
2006173832.tif 000010
【図９】
2006173832.tif 000011